(57)【要約】【課題】  フリーカットの生地を使用することにより、薄手に形成されることにより外部から目立たず、しかも、適度に非伸縮性と伸縮性を有することにより装着感に優れた腰部又は骨盤用ベルトを提供する。【解決手段】  本体ベルト（２）と補助ベルト（３、４）からなる腰ベルト（１）である。前記本体ベルト（２）は、中央部の第１部分（２０）と、その中央部の両隣に位置する第２部分（２１、２２）と、両端のファスナ部分（２３、２４、２５）を有する。前記第１部分（２０）と前記第２部分（２１、２２）はフリーカットの生地からなるものであるとともに、前記第２部分（２１、２２）は前記第１部分（２０）よりも伸縮性が大である。さらに、前記第１部分（２０)と前記第２部分（２１、２２）が糸を使用せずに接合されている。【選択図】  図２
2019180456.tif 000002
【特許請求の範囲】
【請求項１】
本体ベルト（２）と補助ベルト（３、４）からなる腰部又は骨盤用ベルト（１、１Ａ〜１Ｈ）であって、
前記本体ベルト（２）は、中央部の第１部分（２０、２０Ａ〜２０Ｈ）と、その中央部の両隣に位置する第２部分（２１、２２；２１Ａ〜２１Ｈ、２２Ａ〜２２Ｈ）と、両端のファスナ部分（２３、２４、２５）を有し、
前記第１部分（２０、２０Ａ〜２０Ｈ）と前記第２部分（２１、２２；２１Ａ〜２１Ｈ、２２Ａ〜２２Ｈ）はフリーカットの生地からなるものであるとともに、前記第２部分（２１、２２；２１Ａ〜２１Ｈ、２２Ａ〜２２Ｈ）は前記第１部分（２０、２０Ａ〜２０Ｈ）よりも伸縮性が大であり、しかも、
前記第１部分（２０、２０Ａ〜２０Ｈ)と前記第２部分（２１、２２；２１Ａ〜２１Ｈ、２２Ａ〜２２Ｈ）が糸を使用せずに接合されている
ことを特徴とする腰部又は骨盤用ベルト。
【請求項２】
前記伸縮性が比較的に小である第１部分（２０）が非伸縮性の生地である第３部分（２６）を前記第１部分（２０）に貼り付け加工されてその伸縮性をなくしたものである請求項１記載のベルト。
【請求項３】
前記伸縮性が比較的に小である第１部分（２０Ａ）が樹脂インク（２６Ａ）で印刷したものである請求項１記載のベルト。
【請求項４】
前記本体ベルト（２）の中央部付近にボーン（５）が配置されており、このボーン（５）が前記第１部分と前記第３部分（２６）の間に挟み込まれている請求項１〜３のいずれかに記載のベルト（１）
【請求項５】
前記本体ベルト（２Ａ〜２Ｆ、２Ｈ）の中央部付近にボーン（５Ａ，５Ｃ〜５Ｆ、５Ｈ）が配置されており、前記ボーン（５Ａ，５Ｃ〜５Ｆ、５Ｈ）が袋状の収容部（５１Ａ，５１Ｃ〜５１Ｆ、５１Ｈ）に収容されることにより取り付けられている請求項４記載のベルト（１Ａ，１Ｃ〜１Ｆ）
【請求項６】
前記本体ベルト（２Ｂ）の中央部付近にボーン（５Ｂ）が配置されており、前記ボーン（５Ｂ）がインジェクション成形により取り付けられている請求項５記載のベルト（１Ｂ）
【請求項７】
前記比較的に伸縮性が大である第２部分（２１Ｃ、２２Ｃ；２１Ｄ、２２Ｄ）の伸縮性がこの部分に設けられた複数の孔（２７Ｃ，２８Ｄ）によってもたらされている請求項１記載のベルト（１Ｃ、１Ｄ）。
【請求項８】
前記比較的に伸縮性が大である第２部分（２１Ｅ、２２Ｅ）の伸縮性がこの部分に設けられたメッシュの窓（２９Ｅ）によってもたらされている請求項１記載のベルト（１Ｅ）。
【請求項９】
前記第１部分（２０Ｈ）に通気用の複数の孔（２７Ｈ）が設けられている請求項１記載のベルト（１Ｈ）。
【発明の詳細な説明】
【技術分野】
【０００１】
本発明は、腰部又は骨盤に対して使用可能なベルト（以下、特に用途を明記する必要がある場合を除き、「ベルト」と略称する）に関する。このベルトは、主として腰痛の防止・治療や骨盤矯正のために用いられるが、他にも体型・姿勢の矯正のためにも用いられる。
【背景技術】
【０００２】
従来、完全縫製タイプの腰ベルトは、本体が腰部は非伸縮、両サイドは伸縮、前身パイルは非伸縮で構成されており、腰部に伸縮性のある補助ベルトが縫製により設けられている。腹部への装着方法として、本体側を両サイド引っ張りながら腹部でマジックテープ（登録商標）により固定し、その後に補助ベルト両サイドを引張りながら前身のパイル生地に先端のマジックテープ（登録商標）雄体を係合させることでより締め付け強度を上げるようになっている。
【０００３】
しかし、この腰ベルトを装着すると、分厚くなり、ズボンやスカートの中に収容できないことも多く、やむを得ず衣服の上が着用するようなこともよく行われているが、あまり見栄えのよいものではない。また、ごわごわした触感があり、肌触りの良いものではなかった。
【０００４】
そこで最近になって、裁断しても縁がほつれない、熱融着性繊維からなるフリーカットの生地を使用することにより、全体をできるだけ薄く形成した姿勢矯正具が登場するようになった（例えば下記特許文献１参照）。
【先行技術文献】
【特許文献】
【０００５】
【特許文献１】特開２０１３−８５６９６
【発明の概要】
【発明が解決しようとする課題】
【０００６】
しかしながら、市販されているフリーカットの生地を使用したベルトは本体側が両先端のパイル部以外は全体的に均一の伸縮性で構成されている。このとき、伸縮性がありすぎると腰椎部分のボーンの位置がズレてしまい、必要な個所をボーンで抑えられない。また伸縮性が乏しいと、上記のように本体巻き付け時にしっかり腹部全体にテンションをかかった状態で巻き付けることができず、緩んだ状態で固定される。その状態において、補助ベルトで上記同様に締め付けても本体側の生地がダブつき、その結果締め付けを強く行えず、本来目的とする腰椎部分の加圧が乏しくなる。また、従来の完全縫製タイプの腰ベルト同様に、腰部を非伸縮、サイドを伸縮で、縫製せずにつなぎ合わせようとすると、溶着強度に不安がある。
【０００７】
また、ベルト中央部の腰椎周辺に当接する箇所は最も汗がたまりやすい箇所であり通気孔を設けることが好ましいが、伸縮性があると穴を設けた場合、その個所の伸縮率が変化してしまう。そのため、伸縮率が比較的小であることが望ましい中央部が他の個所よりも伸縮率が大になってしまう危険性があった。
【０００８】
本発明は、フリーカットの生地を使用することにより、
（１）薄手に形成されることにより外部から目立たず、装着感に優れている、
（２）適度に非伸縮性と伸縮性を有することによりしっかり締め付けられる、
（３）ベルト中央部の腰椎周辺に当接する箇所に通気孔を設けることが可能となる、
というような効果の全部または一部を可能とするベルトを提供することを目的とする。
【課題を解決するための手段】
【０００９】
本発明は、本体ベルト２と補助ベルト３、４からなる、腰部又は骨盤用のベルト１であって、前記本体ベルト２は、中央部の第１部分２０と、その中央部の両隣に位置する第２部分２１、２２と、両端のファスナ部分２３、２４、２５を有し、前記第１部分２０と前記第２部分２１、２２はフリーカットの生地からなるものであるとともに、前記第２部分２１、２２は前記第１部分よりも伸縮性が大であり、しかも、前記第１部分２０と前記第２部分２１、２２が糸を使用せずに接合されていることを特徴とする。
【００１０】
前記中央部の比較的に非伸縮性が小である第１部分２０の伸縮性をなくすための方法としては次のような方法がある。
（１）非伸縮性のフリーカットの生地である第３部分２６を前記第１部分２０に貼り付け加工する。
（２）樹脂インク２６Ａで印刷する。樹脂インクとしてはシリコンインク、ウレタンインクなどを使用することができる。
【００１１】
好ましくは、前記本体ベルト２の中央部付近にボーン５が配置されており、このボーン５が前記第１部分２０と前記第３部分２６の間に挟み込まれている。
【００１２】
別法では、前記本体ベルト２の中央部付近にボーン５Ａ〜５Ｆが配置されており、このボーン５Ａ，５Ｃ〜５Ｆは袋状の収容部５１Ａ，５１Ｃ〜５１Ｆに入れられることにより取り付けられる。
【００１３】
さらに別法では、前記本体ベルト２の中央部付近にボーン５Ｂが配置されており、このボーン５Ｂはインジェクション成形により直接取り付けている。
【００１４】
前記比較的に伸縮性が大である第２部分に伸縮性をもたらす態様は次のようなものがある。
（１）  第２部分に設けられた複数のドット状の小孔２７Ｃ
（２）  第２部分に設けられた複数の線状の孔２８Ｄ
（３）  第２部分に設けられたメッシュの窓２９Ｅ
【００１５】
好ましくは、前記第１部分２０Ｈに通気用の複数の孔２７Ｈが設けられている。
【００１６】
本発明のベルトは腰ベルトとして使用できるだけでなく、骨盤用ベルトとしても使用できる。
【発明の効果】
【００１７】
本発明によれば、本体ベルト２の第１部分２０及び第２部分２１、２２は、フリーカットの生地からなるものであり、薄手に形成されているので、外部から目立たない。また、中央部の比較的に非伸縮性が小である第１部分２０とその両隣の比較的に伸縮性が大である第２部分２１、２２を有するので、適度に伸縮性があって装着感に優れると共に締め付けを強く行うことができる。さらに前記第１部分２０と前記第２部分２１、２２が糸を使用せずに接合されているので、ごわごわ感が少ない。
【図面の簡単な説明】
【００１８】
【図１】実施例１の腰ベルトの斜視図である。
【図２】図１の腰ベルトの展開斜視図である。
【図３】図１の腰ベルトの（ａ）平面図、（ｂ）正面図、（ｃ）背面図である。
【図４】実施例２の腰ベルトの斜視図である。
【図５】図３の腰ベルトの展開斜視図である。
【図６】実施例３の腰ベルトの（ａ）部分正面図、（ｂ）矢視断面図、（ｃ）部分斜視図である。
【図７】実施例４の腰ベルトの（ａ）部分正面図、（ｂ）矢視断面図、（ｃ）部分斜視図である。
【図８】実施例５の腰ベルトの（ａ）部分正面図、（ｂ）矢視断面図、（ｃ）部分斜視図である。
【図９】実施例６の腰ベルトの（ａ）部分正面図、（ｂ）矢視断面図、（ｃ）部分斜視図である。
【図１０】実施例７の腰ベルトの（ａ）部分正面図、（ｂ）矢視断面図、（ｃ）部分斜視図である。
【図１１】実施例８の骨盤ベルトの斜視図である。
【図１２】実施例８の骨盤ベルトの（ａ）正面図、（ｂ）背面図である。
【図１３】実施例９の腰ベルトの（ａ）部分正面図、（ｂ）矢視断面図、（ｃ）部分斜視図である。
【発明を実施するための形態】
【００１９】
以下、添付の図面に基づき、本発明の実施例を幾つか説明する。
【実施例１】
【００２０】
図１〜３は腰ベルトに関する本発明の実施例１である。
【００２１】
これらの図に示すように、本実施例の腰ベルト１は、１本の本体ベルト２と、左右の補助ベルト３、４からなる。この実施例では、本体ベルト２は長さ約９５ｃｍ、高さは最も高い部分で約２０ｃｍである。
【００２２】
本体ベルト２は、中央部の第１部分２０と、その両隣に位置して、第１部分よりも伸縮性が大である第２部分２１、２２からなる本体部が設けられ、この本体部の左右両端に面ファスナ雌部材２３、２４及び雄部材２５がそれぞれ設けられている。
【００２３】
図２に最も明瞭に記載されているように、本体ベルト２の第１部分２０と第２部分２１，２２は全周がフリーカットのポリエステル、ナイロンなどの生地で形成されているが、非伸縮性の生地（第３部分２６）を第１部分２０に接合してその伸縮性をなくしたものである。接合は、縫製ではなく、ホットメルトで貼り付け加工により行っている。ホットメルトによる全面貼り付けのため、第２部分に使用した非伸縮性生地がフリーカットでなくても端面の解れが発生しにくい。また、縫製をしないことにより、装着したときのごわごわ感をなくすことができる。
【００２４】
面ファスナ雌部材２３、２４及び雄部材２５は、裏側の非伸縮性の生地と表側のパイル生地を貼りあわせて形成したものである。第２部分２１，２２と面ファスナ部材２３〜２５は面一状に縫製されている。
【００２５】
本体ベルト２の中央部付近には、縦方向に延びる一対のほぼ等しい長さのボーン５（「ステー」とも呼ばれることがある）が取り付けられている。ボーン５は、図２に示されているように、第１部分２０と第３部分２６の間に挟み込まれて固定される。ボーンは例えば縦約９０〜１００ｍｍ、幅約１５〜２５ｍｍである。
【００２６】
各ボーン５の素材は、金属製（アルミ、スチール等）又は非金属製（ＰＥＴ、ＰＰ等）のどちらでもよい。通常、金属製は身体の曲線に合わせて手で折り曲げて使用するが、非金属製であれば装着時の伸度によって屈曲させることが可能であり、本発明では非金属製のボーンの使用が望ましい。
【００２７】
本体ベルト２の上面に伸縮性の大きな補助ベルト３、４が設けられている。補助ベルト３、４は、装着時に引っ張ることで硬度のある各ボーン５を体幹に押し当てるだけの力がなければならない。
【００２８】
各補助ベルト３、４は、１本又は二重折りのテープで形成されており（図２は二重折りの例である）、一端がボーンに隣接して第３部分２６に当て布３１，４１を介して固定され、自由端には面ファスナ３２，４２が設けられている。
【００２９】
この腰ベルトの取付方法は、この種の従来のものと同じである。本体ベルト２の面ファスナ２３、２４同士で腰部に装着固定し、補助ベルト３を引っ張って面ファスナ３２、４２同士を付着させることにより、本体ベルト２の締めつけ具合を調整する。
【実施例２】
【００３０】
図４、５は本発明の腰ベルトに関する実施例２である。
【００３１】
実施例１との相違点は、図５に明瞭に表れているように、ボーン５Ａが貼り付けられた袋状の収容部５１Ａに収容されることにより取り付けられていること、第１部分２０Ａの伸縮性をなくすため樹脂インク２６Ａ（シリコンインク、ウレタンインク、等）で印刷していること、である。実施例１と同一の部品には実施例１と同一の符号にＡを付し、その説明を省略する。
【実施例３】
【００３２】
図６は  本発明の腰ベルトに関する実施例３である。
【００３３】
実施例２との相違点は、ボーン５Ｂが袋状の収容部を介することなく、第３部分２６Ｂの上に直接固着されていることである。このボーン５Ｂは、非伸縮のＣ硬度５０度以下のウレタンやＳＢＥＳなどの樹脂をインジェクション成形してなるものである。実施例１と同一の部品には実施例１と同一の符号にＢを付し、その説明を省略する。
【実施例４】
【００３４】
図７は  本発明の実施例４である。
【００３５】
実施例２との相違点は、非伸縮性の第３部分がなく、第１部分２０Ｃと第２部分２１Ｃ，２２Ｃが伸縮性のある共通生地で一体的に形成されていることである。第２部分２１Ｃ，２２Ｃにおいてさらに伸縮性を出すために、この部分においてドット状の小孔２７Ｃを数多く設けている。実施例２と同一の部品には実施例２と同一の符号にＣを付し、その説明を省略する。
【実施例５】
【００３６】
図８は  本発明の腰ベルトに関する実施例５である。
【００３７】
実施例２との相違点は、非伸縮性の第３部分がなく、第１部分２０Ｄと第２部分２１Ｄ，２２Ｄが伸縮性のある共通生地で一体的に形成されていることである。第２部分２１Ｄ，２２Ｄにおいてさらに伸縮性を出すために、この部分において細長い線状の孔２８Ｄを数か所（図８では左右それぞれ３か所）設けている。実施例２と同一の部品には実施例２と同一の符号にＤを付し、その説明を省略する。
【実施例６】
【００３８】
図９は  本発明の腰ベルトに関する実施例６である。
【００３９】
実施例２との相違点は、非伸縮性の第３部分がなく、第１部分２０Ｅと第２部分２１Ｅ，２２Ｅが伸縮性のある共通生地で一体的に形成されていることである。第２部分２１Ｅ，２２Ｅにおいて伸縮性を出すために、この部分においてメッシュ生地からなる窓２９Ｅを設けている。実施例２と同一の部品には実施例２と同一の符号にＥを付し、その説明を省略する。
【実施例７】
【００４０】
図１０は  本発明の腰ベルトに関する実施例７である。
【００４１】
実施例２との相違点は、ボーン５Ｆの形状である。このボーン５Ｆは幅広のもの（例えば幅約５０〜６５ｍｍ）である。実施例２と同一の部品には実施例２と同一の符号にＦを付し、その説明を省略する。
【実施例８】
【００４２】
図１１は  本発明の骨盤ベルト１Ｇに関する実施例８である。
【００４３】
実施例８は、全体的に縦方向高さが低く、前記実施例１〜７と比較すると細長い形状である点、ボーンを使用していない点、面ファスナ雌部材２３Ｇ，２４Ｇは非伸縮生地２３０Ｇ，２４０Ｇに接合されている点で異なる。実施例１と同一の部品には実施例１と同一の符号にＧを付し、その説明を省略する。
【実施例９】
【００４４】
図１３は  本発明の腰ベルト１Ｈに関する実施例９である。
【００４５】
本実施例が前記実施例２と異なるのは、第２部分２６Ｈの任意の箇所に複数の通気用の孔２７Ｈが設けられていることである。この孔２７Ｈは、実施例４〜６において記載した、伸縮性を生むための小孔や窓と異なり、通気用のものである。このように非伸縮（又は伸縮性が小）の第２部分２６Ｈに孔２７Ｈを設けたため、穴あけによる伸縮率の影響を受けずに通気口を設けることができた。
【符号の説明】
【００４６】
１，（１Ａ〜１Ｆ）   腰ベルト
１Ｇ  骨盤ベルト
２，（２Ａ〜２Ｇ）   本体ベルト
２０，（２０Ａ〜２０Ｈ）    第１部分
２１，（２１Ａ〜２１Ｈ）    第２部分
２２，（２２Ａ〜２２Ｈ）    第２部分
２３，２４    面ファスナ雌部材
２５   雄部材
２６，（２６Ａ〜２６Ｂ，２６Ｆ〜２６Ｈ）  第３部分
２７Ｃ 小孔
２７Ｈ      通気孔
２８Ｄ 細長い線状の孔
２９Ｅ 窓
３，（３Ａ〜３Ｈ）  補助ベルト
３１，４１    当て布
３２，４２    面ファスナ
４，（４Ａ〜４Ｇ）  補助ベルト
５，（５Ａ〜５Ｆ）   ボーン
５１   縫製部
【図１】
2019180456.tif 000003
【図２】
2019180456.tif 000004
【図３】
2019180456.tif 000005
【図４】
2019180456.tif 000006
【図５】
2019180456.tif 000007
【図６】
2019180456.tif 000008
【図７】
2019180456.tif 000009
【図８】
2019180456.tif 000010
【図９】
2019180456.tif 000011
【図１０】
2019180456.tif 000012
【図１１】
2019180456.tif 000013
【図１２】
2019180456.tif 000014
【図１３】
2019180456.tif 000015